(57)【特許請求の範囲】
【請求項１】
テレビ放送信号を受信して、当該テレビ放送信号の映像画面データをテレビ受信機に出力して表示させるチューナ装置であって、
前記テレビ放送信号の映像データから電子番組表データを抽出するＥＰＧ抽出手段と、
前記電子番組表データを記憶する番組表記憶手段と、
前記映像画面データと前記電子番組表データとを合成して前記テレビ受信機に出力すると共に、前記テレビ受信機に表示された前記映像画面データによる映像画面上の位置を指定する位置指標を前記映像画面データに合成して前記テレビ受信機に出力する画像合成手段と、
前記画像合成手段を制御する制御手段とを備え、
前記位置指標は複数の種類を有しており、
前記制御手段は、前記テレビ受信機に前記映像画面を表示させるように前記画像合成手段を制御し、前記テレビ受信機に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御すると共に、
前記位置指標の種類、前記電子番組表が表示される部分の形状及び大きさの選択をユーザから受け付けて切り換えるように前記画像合成手段を制御し、前記位置指標が前記映像画面の一端まで移動すると前記電子番組表がスクロールされて表示されるように画像合成手段を制御し、前記制御手段は前記位置指標が各セル単位で位置を指定するように前記画像合成手段を制御する、チューナ装置。
【請求項２】
テレビ放送信号を受信して、当該テレビ放送信号の映像画面データをテレビ受信機に出力して表示させるチューナ装置であって、
前記テレビ放送信号の映像データから電子番組表データを抽出するＥＰＧ抽出手段と、
前記電子番組表データを記憶する番組表記憶手段と、
前記映像画面データと前記電子番組表データとを合成して前記テレビ受信機に出力すると共に、前記テレビ受信機に表示された前記映像画面データによる映像画面上の位置を指定する位置指標を前記映像画面データに合成して前記テレビ受信機に出力する画像合成手段と、
前記テレビ受信機に前記映像画面を表示させるように前記画像合成手段を制御し、前記テレビ受信機に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する制御手段と、を備えるチューナ装置。
【請求項３】
前記位置指標は複数の種類を有しており、前記制御手段は前記位置指標の種類の選択をユーザから受け付けて切り換えるように前記画像合成手段を制御する、請求項２に記載のチューナ装置。
【請求項４】
前記制御手段は前記電子番組表が表示される部分の形状及び大きさを切り換えるように前記画像合成手段を制御する、請求項２に記載のチューナ装置。
【請求項５】
前記制御手段は、前記位置指標が前記テレビ受信機の画面の一端まで移動すると、前記電子番組表がスクロールされて表示されるように前記画像合成手段を制御する、請求項２に記載のチューナ装置。
【請求項６】
前記電子番組表は複数のセルを有しており、前記制御手段は前記位置指標が各セル単位で位置を指定するように前記画像合成手段を制御する、請求項２に記載のチューナ装置。
【請求項７】
テレビ放送信号を受信して、当該テレビ放送信号の映像画面データに基づく映像画面を表示手段に表示させるテレビ受信機であって、
前記テレビ放送信号の映像データから電子番組表データを抽出するＥＰＧ抽出手段と、
前記電子番組表データを記憶する番組表記憶手段と、
前記映像画面データと前記電子番組表データとを合成して前記表示手段に出力すると共に、前記映像画面上の位置を指定する位置指標を前記映像画面データに合成して前記表示手段に出力する画像合成手段と、
前記表示手段に前記映像画面を表示させるように前記画像合成手段を制御し、前記表示手段に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する制御手段と、を備えるテレビ受信機。
【請求項８】
チューナ装置と、テレビ受信機と、を備えるテレビ受信システムにおいて、
前記チューナ装置は、
テレビ放送信号を受信して、当該テレビ放送信号の映像画面データをテレビ受信機に出力し、
前記テレビ放送信号の映像データから電子番組表データを抽出するＥＰＧ抽出手段と、
前記電子番組表データを記憶する番組表記憶手段と、
前記映像画面データと前記電子番組表データとを合成して前記テレビ受信機に出力すると共に、前記テレビ受信機に表示された前記映像画面データによる映像画面上の位置を指定する位置指標を前記映像画面データに合成して前記テレビ受信機に出力する画像合成手段と、
前記テレビ受信機に前記映像画面を表示させるように前記画像合成手段を制御し、前記テレビ受信機に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する制御手段と、を備えるテレビ受信システム。
【発明の詳細な説明】
【０００１】
【発明の属する技術分野】
本発明は、チューナ装置、テレビ受信機及びテレビ受信セット、特に、映像画面と共に電子番組表を表示させ又は表示するチューナ装置、テレビ受信機及びテレビ受信セットに関する。
【０００２】
【従来の技術】
テレビ放送信号やビデオデッキなどからの映像をテレビ受信機の画面上に表示すると共に、映像画面にオーバレイして電子番組表を表示することは従来から行われている。映像画面に電子番組表をオーバレイする方法としては、映像画面に重ねて電子番組表を表示するか又は映像画面を縮小して映像画面以外の部分に電子番組表を表示する方法がある。
【０００３】
特許文献１には、電子番組表を縮小して映像画面に表示する方法が記載されている（第７図）。また特許文献１には、映像画面を縮小表示し、映像画面の横に電子番組表のうちチャンネル番号及びチャンネル名のみ表示しておき、チャンネル番号又はチャンネル名をポインタで指定した場合のみ番組情報をウィンドウの形態で表示する方法が記載されている（第８図）。
【０００４】
【特許文献１】
特開２０００−２０９５２０号公報（第１１−１２頁、第７−８図）
【０００５】
【発明が解決しようとする課題】
特許文献１に記載の電子番組表を縮小して表示する方法では、電子番組表が映像画面を隠す領域を低減することができる。しかし、それでもこの部分によって映像画面を隠す領域が大きく、見逃せないシーンが突如画面に現れた場合にユーザが見たい映像画面の部分を見逃す恐れがある。また、電子番組表が縮小されているので、表中の文字が読みづらい。また、電子画面表を映像画面に重ねる処理に時間を要し、電子番組表の表示を指示してから実際に表示されるまでタイムラグが生じる。
【０００６】
特許文献１に記載の縮小した映像画面の横にチャンネル番号及びチャンネル名を表示する方法では、映像画面が隠されることなく、チャンネル番号及びチャンネル名も十分な大きさで表示されるが、映像画面が縮小されているので映像を十分に楽しむことができない。また、各チャンネルの番組情報を見る場合には、チャンネル番号又はチャンネル名の横にウィンドウの形態で表示するため、映像画面をほとんど隠してしまう。
【０００７】
本発明の目的は、テレビ受信機の画面上に映像画面と共に電子番組表を表示させる場合に、電子番組表の表示によって映像画面に与える影響を低減することにある。
【０００９】
【課題を解決するための手段】
第１発明に係るチューナ装置は、テレビ放送信号を受信して、当該テレビ放送信号の映像画面データをテレビ受信機に出力して表示させるチューナ装置であって、前記テレビ放送信号の映像データから電子番組表データを抽出するＥＰＧ抽出手段と、前記電子番組表データを記憶する番組表記憶手段と、前記映像画面データと前記電子番組表データとを合成して前記テレビ受信機に出力すると共に、前記テレビ受信機に表示された前記映像画面データによる映像画面上の位置を指定する位置指標を前記映像画面データに合成して前記テレビ受信機に出力する画像合成手段と、前記画像合成手段を制御する制御手段とを備えている。そして、前記位置指標は複数の種類を有しており、前記制御手段は、前記テレビ受信機に前記映像画面を表示させるように前記画像合成手段を制御し、前記テレビ受信機に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する。また、前記制御手段は、前記位置指標の種類、前記電子番組表が表示される部分の形状及び大きさの選択をユーザから受け付けて切り換えるように前記画像合成手段を制御し、前記位置指標が前記映像画面の一端まで移動すると前記電子番組表がスクロールされて表示されるように画像合成手段を制御し、前記制御手段は前記位置指標が各セル単位で位置を指定するように前記画像合成手段を制御する。
【００１０】
このチューナ装置では、位置指標により指定された位置を含む近傍の領域に相当する電子番組表の部分のみが表示されるので、映像画面が隠される部分が極めて小さく、映像画面への影響を大幅に低減できる。また、電子番組表の他の部分をみたい場合には位置指標を移動すれば所望の部分を見ることができる。その場合でも、位置指標により指定された位置を含む近傍の領域に相当する電子番組表の部分のみが表示されるので、位置指標を移動させても映像画面が隠される部分は常に小さい。
【００１２】
また、ユーザは位置指標の形状及び大きさを選択でき、趣味趣向によって画面上をカスタマイズできる。また、ユーザは、電子番組表が表示される部分の形状や大きさを選択でき、趣味趣向によって画面上をカスタマイズできる。また、電子番組表がテレビ受信機の画面よりも大きい場合に位置指標がテレビ受信機の画面の一端まで移動すると、その端部の外に位置している電子番組表の部分を画面内にスクロールさせる。従って、電子番組表をスクロールさせて画面内の位置指標の位置に表示させることができ、映像画面への影響を抑えつつ電子番組表全体を見ることができる。また、電子番組表を表示する部分は、連続的に移動するのではなくセル単位で移動するので番組の検索が簡易である。
【００１３】
第２発明に係るチューナ装置は、テレビ放送信号を受信して、当該テレビ放送信号の映像画面データをテレビ受信機に出力して表示させるチューナ装置であって、前記テレビ放送信号の映像データから電子番組表データを抽出するＥＰＧ抽出手段と、前記電子番組表データを記憶する番組表記憶手段と、前記映像画面データと前記電子番組表データとを合成して前記テレビ受信機に出力すると共に、前記テレビ受信機に表示された前記映像画面データによる映像画面上の位置を指定する位置指標を前記映像画面データに合成して前記テレビ受信機に出力する画像合成手段と、前記テレビ受信機に前記映像画面を表示させるように前記画像合成手段を制御し、前記テレビ受信機に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する制御手段とを備えている。位置指標は、例えば、画面上に表示されるポインタである。
【００１４】
このチューナ装置では、位置指標により指定された位置を含む近傍の領域に相当する電子番組表の部分のみが表示されるので、映像画面が隠される部分が極めて小さく、映像画面への影響を大幅に低減できる。また、電子番組表の他の部分をみたい場合には位置指標を移動すれば所望の部分を見ることができる。その場合でも、位置指標により指定された位置を含む近傍の領域に相当する電子番組表の部分のみが表示されるので、位置指標を移動させても映像画面が隠される部分は常に小さい。
【００１６】
第３発明に係るチューナ装置は、第２発明に係るチューナ装置において、前記位置指標は複数の種類を有しており、前記制御手段は前記位置指標の種類の選択をユーザから受け付けて切り換えるように前記画像合成手段を制御する。位置指標は、例えば、矢印、縦棒の形状のポインタ又はカーソルである。また位置指標は、キャラクタを表示するものであっても良い。
【００１７】
この場合、ユーザは位置指標の形状及び大きさを選択でき、趣味趣向によって画面上をカスタマイズできる。
【００１８】
第４発明に係るチューナ装置は、第２発明に係るチューナ装置において、前記制御手段は前記電子番組表が表示される部分の形状及び大きさを切り換えるように前記画像合成手段を制御する。前記電子番組表が表示される部分の形状は、例えば、真円、楕円、矩形、三角形とし、位置指標により指定された位置を含む近傍の領域に相当する電子番組表の該当部分が真円などで表示されるようにする。
【００１９】
この場合、ユーザは、電子番組表が表示される領域の形状や大きさを選択でき、趣味趣向によって画面上をカスタマイズできる。
【００２０】
第５発明に係るチューナ装置は、第２発明に係るチューナ装置において、前記制御手段は、前記位置指標が前記テレビ受信機の画面の一端まで移動すると、前記電子番組表がスクロールされて表示されるように前記画像合成手段を制御する。
【００２１】
このチューナ装置では、電子番組表がテレビ受信機の画面よりも大きい場合に位置指標がテレビ受信機の画面の一端まで移動すると、その端部の外に位置している電子番組表の部分を画面内にスクロールさせる。従って、電子番組表をスクロールさせて画面内の位置指標の位置に表示させることができ、映像画面への影響を抑えつつ電子番組表全体を見ることができる。
【００２２】
第６発明に係るチューナ装置は、第５発明に係るチューナ装置において、前記電子番組表は複数のセルを有しており、前記制御手段は前記位置指標が各セル単位で位置を指定するように前記画像合成手段を制御する。
【００２３】
この場合、電子番組表を表示する部分は、連続的に移動するのではなくセル単位で移動するので番組の検索が簡易である。
【００２４】
第７発明に係るテレビ受信機は、テレビ放送信号を受信して、当該テレビ放送信号の映像画面データに基づく映像画面を表示手段に表示させるテレビ受信機であって、前記テレビ放送信号の映像データから電子番組表データを抽出するＥＰＧ抽出手段と、前記電子番組表データを記憶する番組表記憶手段と、前記映像画面データと前記電子番組表データとを合成して前記表示手段に出力すると共に、前記映像画面上の位置を指定する位置指標を前記映像画面データに合成して前記表示手段に出力する画像合成手段と、前記表示手段に前記映像画面を表示させるように前記画像合成手段を制御し、前記表示手段に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する制御手段とを備えている。
【００２５】
このテレビ受信機は、第２発明に係るチューナ装置において述べたと同様の作用効果を奏する。
【００２６】
第８発明に係るテレビ受信システムは、チューナ装置と、テレビ受信機と、を備えるテレビ受信システムであって、前記チューナ装置は、テレビ放送信号を受信して、当該テレビ放送信号の映像画面データをテレビ受信機に出力し、前記テレビ放送信号の映像データから電子番組表データを抽出するＥＰＧ抽出手段と、前記電子番組表データを記憶する番組表記憶手段と、前記映像画面データと前記電子番組表データとを合成して前記テレビ受信機に出力すると共に、前記テレビ受信機に表示された前記映像画面データによる映像画面上の位置を指定する位置指標を前記映像画面データに合成して前記テレビ受信機に出力する画像合成手段と、前記テレビ受信機に前記映像画面を表示させるように前記画像合成手段を制御し、前記テレビ受信機に前記電子番組表データに基づく電子番組表を表示させる場合には、前記映像画面上に前記位置指標を表示させ、前記位置指標により指定された位置を含む近傍の領域に相当する前記電子番組表の部分のみを表示させるように前記画像合成手段を制御する制御手段と、を備えている。
【００２７】
このテレビ受信システムでは、第２発明に係るチューナ装置において述べたと同様の作用効果を奏する。
【００２８】
【発明の実施の形態】
（１）第１実施形態
（１−１）構成
図１は、本発明に係るチューナ装置のブロック図である。このチューナ装置は、アンテナ等からＢＳ、ＣＳのテレビ放送信号を受信して所定の処理を施し、映像画面データをテレビ受信機に出力する。また、このチューナ装置は、ＥＰＧモードオン又は簡易ＥＰＧモードオンの指示をユーザから受け付けると、映像画面データに電子番組表（ＥＰＧ）データを合成して出力する。
【００２９】
このチューナ装置は、ＥＰＧ抽出手段１と、番組記憶手段２と、画像合成手段３と、制御手段４とを備えている。ＥＰＧ抽出手段１は、テレビ放送の映像データから電子番組表データを抽出し、番組記憶手段２に記憶する。番組記憶手段２は例えばＲＡＭであり、ＥＰＧ抽出手段から書き込まれる電子番組表データを記憶する。また番組記憶手段２は、制御手段４からの読出信号に基づいて電子番組表データを画像合成手段２に出力する。画像合成手段３は、制御手段４からの読出信号に基づいて、番組記憶手段２から電子番組表データを読み出し、電子番組表データを映像画面データに合成してテレビ受信機に出力する。また画像合成手段３は、制御手段４から位置指標としてのポインタ５を表示する命令を受けた場合には、ポインタ５を映像画面データに合成してテレビ受信機に出力する。制御手段４は、チューナ装置本体の操作部又はリモコンによって簡易ＥＰＧ表示命令を受けた場合には、映像画面データにポインタ５を合成するように画像合成手段に指示する。
【００３０】
制御手段４は、テレビ受信機に映像画面を表示するように画像合成手段を制御する。また制御手段４は、簡易ＥＰＧモードのオンオフに基づいて、ポインタ５の表示及び非表示を切り換え、ポインタ５を移動する命令をリモコン等から受けた場合には、ポインタ５が指示通りの方向に映像画面上で移動するように画像合成手段３に指示する。また制御手段４は、簡易ＥＰＧモードオンの場合には、ポインタ５により指定された位置を含む近傍の領域に相当する電子番組表の部分のみが表示されるように、映像画面データに電子番組表データを合成する。
【００３１】
図２は、電子番組表２１とテレビ受信機の画面２２との関係を説明する説明図である。
【００３２】
電子番組表２１は、番組記憶手段２に記憶されている電子番組表データを全て表示した場合の画像である。電子番組表２１は、複数のセルを含んでおり、最上段のセルにはチャンネル情報（チャンネル番号、チャンネル名）が表示され、各チャンネルの下のセルには各時間帯の番組の情報が表示される。例えば１０００ｃｈ、ＸＸＸテレビの下のセルには番組「ＮＥＷＳ１２３」、「天気予報」が表示され、２０００ｃｈ、ＹＹＹテレビの下のセルには番組「ＮＥＷＳ１」が表示されている。同図に示すように、電子番組表データを全て表示すると、テレビ受信機の画面（テレビ画面）２２よりも電子番組表２１の方が大きい領域になる。ポインタ５によって後述するスクロールをするまでは、電子番組表２１の左隅とテレビ画面２２の左隅とが一致するように対応づける。
【００３３】
ここでは、電子番組表２１の表示領域がテレビ画面２２よりも大きいとしたが、電子番組表２１の表示領域をテレビ画面２２に合わせるようにしても良い。
【００３４】
ここでは、位置指標を矢印のポインタ５としたが、真円、楕円、矩形、三角形又はキャラクタなど形状、大きさ及び色をユーザが選択できるようにする。
【００３５】
図３は簡易ＥＰＧ表示の第１の表示例であり、図４は簡易ＥＰＧ表示の第２例である。
【００３６】
図３の第１の表示例は、ポインタ５が図２の位置にある場合である。図４の第２の表示例は、ポインタ５が図２の位置から下に移動した場合である。図３では、テレビ画面２２に映像画面２３が表示されており、ポインタ５の位置の近傍、具体的にはポインタ５の矢印の先端部付近の一定領域に位置する番組「ＮＥＷＳ１２３」が表示されている。図４では、図２及び図３におけるポインタ５の位置を下に移動させており、番組「ＮＥＷＳ１２３」の下にある番組「天気予報」が表示される。
【００３７】
ここでは、チャンネル情報及び番組情報が表示される部分の形状を矩形とし、１セル分の大きさとしたが、この部分の形状及び大きさは、真円、楕円、矩形、三角形、キャラクタなどの形状、１セル分の大きさ、２セル分の大きさなどから、ユーザが選択できるようにする。
【００３８】
また、ポインタ５の移動は連続的に移動させるか、電子番組表２１の各セル単位で移動させるか、ユーザが選択できるようにする。
【００３９】
図５はスクロール時の電子番組表２１とテレビ画面２２との関係を説明する図であり、図６はスクロール後のＥＰＧ簡易表示の表示例である。図５に示すようにポインタ５を図４の位置からテレビ画面２２の右端まで移動してさらに右方向に移動させようとすると、図５に示すように電子番組表２１が左方向に移動し、２０００ｃｈの番組情報がテレビ画面２２内に移動する。このとき、テレビ画面２２には、図６に示すように番組「ＮＥＷＳ１」が表示される。
【００４０】
（１−２）フローチャート
図７は簡易ＥＰＧ表示のフローチャートである。
【００４１】
ステップＳ１１：テレビ放送を受信し、映像画面データを取得する。
【００４２】
ステップＳ１２：テレビ画面２２に映像画面２３を表示させる。
【００４３】
ステップＳ１３：ＥＰＧ抽出手段１によって映像データから電子番組表データを抽出し、番組記憶手段２に書き込む。
【００４４】
ステップＳ１４：チューナ装置本体の操作部又はリモコンから簡易ＥＰＧモードオンの指示を受けたか否か判別し、簡易ＥＰＧモードオンの指示がない場合はステップＳ１１に戻り、簡易ＥＰＧモードオンの指示を受けた場合はステップＳ１５に移行する。
【００４５】
ステップＳ１５：ポインタ５を映像画面２３に重ねて表示する。
【００４６】
ステップＳ１６：ポインタ５により指定された位置を含む近傍の領域に相当する電子番組表２１の部分のみが見えるように表示する。また、ポインタ５を移動すると、図２、図３及び図４に示すように電子番組表２１の表示部分を移動させ、図５及び図６に示すようにポインタ５が一端に到達しさらに外側に移動させようとすると、テレビ画面２２の外側の電子番組表２１の部分をスクロールして表示する。
【００４７】
ステップＳ１７：簡易ＥＰＧモードオフの指示を受けたか否かを判別し、受けていない場合はステップＳ１６に戻り、受けた場合にはステップＳ１８に移行する。
【００４８】
ステップＳ１８：映像画面２３上からポインタ５を消去する。
【００４９】
ステップＳ１９：電子番組表２１の表示を停止する。
【００５０】
（１−３）まとめ
このチューナ装置では、ポインタ５により指定された位置を含む近傍の領域に相当する電子番組表２１の部分のみが表示されるので、映像画面２３が隠される部分が極めて小さく、映像画面２３への影響を大幅に低減できる。また、電子番組表２１の他の部分をみたい場合にはポインタ５を移動すれば所望の部分を見ることができる。その場合でも、ポインタ５により指定された位置を含む近傍の領域に相当する電子番組表２１の部分のみが表示されるので、ポインタ５を移動させても映像画面２３が隠される部分は常に小さい。
【００５２】
また、ユーザはポインタ５の形状及び大きさを選択でき、趣味趣向によって画面上をカスタマイズできる。また、ユーザは、電子番組表２１が表示される部分の形状や大きさを選択でき、趣味趣向によって画面上をカスタマイズできる。また、電子番組表２１がテレビ画面２２よりも大きい場合にポインタ５がテレビ画面２２の一端まで移動すると、その端部の外に位置している電子番組表２１の部分をテレビ画面２２内にスクロールさせる。従って、電子番組表２１をスクロールさせてテレビ画面２２内のポインタ５の位置に表示させることができ、映像画面２３への影響を抑えつつ電子番組表２１全体を見ることができる。また、電子番組表２１を表示する部分をセル単位で移動させる場合には、ポインタ５による番組の検索が容易である。
【００５３】
（２）他の実施形態
上記実施形態ではチューナ装置について説明したが、上記チューナ装置の構成をテレビ受信機に備えても良い。この場合は、テレビ受信機のみで上記実施形態と同様の作用効果を奏する。
【００５４】
また上記チューナ装置とテレビ受信機とを備えるテレビ受信システムであっても、上記実施形態と同様の作用効果を奏する。
【００５５】
【発明の効果】
本発明によれば、テレビ受信機の画面上に映像画面と共に電子番組表を表示させる場合に、電子番組表の表示によって映像画面に与える影響を低減できる。
【図面の簡単な説明】
【図１】本発明に係るチューナ装置のブロック図。
【図２】電子番組表２１とテレビ画面２２との関係を説明する説明図。
【図３】簡易ＥＰＧ表示の第１の表示例。
【図４】簡易ＥＰＧ表示の第２の表示例。
【図５】スクロール時の電子番組表２１とテレビ画面２２との関係を説明する説明図。
【図６】スクロール後の簡易ＥＰＧ表示の表示例。
【図７】簡易ＥＰＧ表示処理のフローチャート。
【符号の説明】
１  ＥＰＧ抽出手段
２  番組記憶手段
３  画像合成手段
４  制御手段
【図１】
0003758172.tif 000002
【図２】
0003758172.tif 000003
【図３】
0003758172.tif 000004
【図４】
0003758172.tif 000005
【図５】
0003758172.tif 000006
【図６】
0003758172.tif 000007
【図７】
0003758172.tif 000008